(57)【特許請求の範囲】
【請求項１】
コア（２）と、該コア（２）の両側に１つずつ２つの側面フランジ（３、４）とを有する部分整経ビーム（１）において、
前記部分整経ビーム（１）がクランプバー（６）を有し、該クランプバー（６）を前記２つの側面フランジ（３、４）の間に固定可能とする固定装置（９）が設けられることを特徴とする部分整経ビーム。
【請求項２】
前記固定装置（９）が前記クランプバー（６）の一部として構成されることを特徴とする請求項１に記載の部分整経ビーム。
【請求項３】
前記固定装置（９）が前記クランプバー（６）の長さを変更する装置（１０、１１）を有することを特徴とする請求項２に記載の部分整経ビーム。
【請求項４】
前記長さを変更する装置（１０、１１）が前記クランプバー（６）と前記２つの側面フランジ（３、４）との間のクランプ力を生成するクランプ力生成装置として構成されることを特徴とする請求項３に記載の部分整経ビーム。
【請求項５】
前記クランプ力生成装置がスプリング組立体（１０）を有することを特徴とする請求項４に記載の部分整経ビーム。
【請求項６】
前記クランプバー（６）の両端にはそれぞれ１つずつゴム弾性材料製の末端部材（１２）が設けられることを特徴とする請求項１乃至５のうちのいずれか一項に記載の部分整経ビーム。
【請求項７】
請求項１乃至６のうちのいずれか一項に記載の部分整経ビーム（１）を受けるための少なくとも１つの整経ビーム用取付具（１３）と、クリール出口（２２）とを備える組立デバイス用のクリール（１４）において、
前記整経ビーム用取付具（１３）と前記クリール出口（２２）との間に少なくとも１つのクランプバー容器を有する輸送デバイス（１６）が配置されることを特徴とするクリール。
【請求項８】
前記クランプバー容器が互いに向かい合うように開口する２つのポケット要素（２０）を有することを特徴とする請求項７に記載のクリール。
【請求項９】
前記ポケット要素（２０）が、牽引部材（１７）、とくにチェーンに配置され、各牽引部材が前記整経ビーム用取付具（１３）から前記クリール出口（２２）への方向に移動可能な部分を有することを特徴とする請求項８に記載のクリール。
【請求項１０】
前記牽引部材（１７）が回転する牽引部材として構成されることを特徴とする請求項９に記載のクリール。
【請求項１１】
前記整経ビーム用取付具（１３）と前記クリール出口（２２）との間の方向に沿って複数のポケット要素（２０）が連続して配置され、連続して配置されるポケット要素（２０）の間にある前記牽引部材（１７）が横断方向のステイ部材（１９）により相互に連結されることを特徴とする請求項９または１０に記載のクリール。
【請求項１２】
前記輸送デバイス（１６）が前記整経ビーム用取付具（１３）の重力方向下方に配置されることを特徴とする請求項７乃至１１のうちのいずれか一項に記載のクリール。
【請求項１３】
前記輸送デバイス（１６）が前記クリール出口（２２）の領域において鉛直方向に延在する部分を有することを特徴とする請求項７乃至１２のうちのいずれか一項に記載のクリール。
【発明の詳細な説明】
【技術分野】
【０００１】
本発明は、コアと、コアの両端にそれぞれ１つずつ設けられる２つの側面フランジと、クランプバーとを備える部分整経ビームに関するものである。
また本発明は、このタイプの部分整経ビームを取り付けるための少なくとも１つの整経ビーム用取付具と、クリール出口とを備える組立デバイス用のクリールに関するものである。
【背景技術】
【０００２】
少なくとも２つ、しかし典型的にはそれ以上の数の部分整経ビームから引き出されるかせ糸（ｙａｒｎ  ｓｋｅｉｎ）が組立デバイスにて、１つにまとめられて１つの整経ビームが形成される。この１つにまとめられる過程において、まだ処理されていないかせ糸に対して、例えばサイジングを施すことが可能である。
【発明の概要】
【発明が解決しようとする課題】
【０００３】
かせ糸を１つにまとめるために、複数の部分整経ビームを組立デバイスの入口の前に配置されるクリールに取り付ける必要がある。組立工程の準備のため、各部分整経ビームからかせ糸を引き出して組立デバイスの入口に引き込まなければならない。このことは、通常、オペレータによって、１つの部分整経ビームに配置されているこれらの糸から２つの束を形成し、各部分整経ビームからのすべての糸は２つの手で得ることが出来る。次いで、これらの糸の束はオペレータにより組立デバイスの入口まで引き寄せられる。この場合、これらの糸が牽引の側面方向の成分、即ち、かせ糸の長手方向に対して横断方向に作用する牽引力の成分による影響を受けてしまうことは実際問題として避けることはできない。
このことは、各部分整経ビームの糸のうちのある一定長さの糸を利用することができないということを意味する。
【０００４】
さらに、この準備作業は、労力と時間の点において比較的高価なものである。部分整経ビームにブレーキがかかっていない場合でさえ、部分整経ビームから糸を引き出し、且つ組立デバイスの入口の適切な位置まで糸を運んで来るにあたって、人手による相当な牽引力を必要とする。
【課題を解決するための手段】
【０００５】
本発明は、組立のためのかせ糸の準備がスムーズかつ効果的に運ぶようにするという目的に基づくものである。
本発明の目的は、冒頭で言及したタイプの部分整経ビームの助けを用いて達成される、即ちクランプバーと、このクランプバーを２つの側面フランジの間に固定可能とする固定装置とを有する部分整経ビームにより達成される。
【０００６】
クランプバーとは補助部材であって、該補助部材によって、部分整経ビームのかせ糸が部分整経ビームの総幅に亘って得られ、固定される。このクランプバーを用いることにより、かせ糸に横断方向の力が作用しないように束ねることなくかせ糸を引き出すことを可能とする補助が利用可能となる。かせ糸は例えばジャミング（ｊａｍｍｉｎｇ）によりクランプバーに固定されることが可能となるものの、他の可能性も考えられている。固定装置を用いることにより、クランプバーを２つの側面フランジの間に固定することが可能となっている。このことは、部分整経ビームの生成終了時においてクランプバーはかせ糸に既に接続され、いわば部分整経ビームのさらなる取り扱いの邪魔になることなく部分整経ビームに留めておくことを可能とする長所を有している。このことは、側面フランジに沿って部分整経ビームをころがすというよく見る光景の場合にも当てはまる。クランプバーは、側面フランジの外周縁よりも内側に位置し、換言すると、外周縁よりも外側には突出しないようになっている。次いで、部分整経ビームをクリール内に配置すると、固定装置を外すだけでかせ糸をその総幅を維持したまま引き出すことが可能となる。
【０００７】
好ましくは、固定装置はクランプバーの一部として構成される。従って、２つの側面フランジとコアとを備える部分整経ビームは、比較的単純な従来構造を有していてもよい。もはやクランプバーが必要でなくなった時には、クランプバーを部分整経ビームから固定装置と一緒に取り除くことが可能である。従って、部分整経ビームからかせ糸が引き出されている際に、固定装置が妨げになるということは発生しない。
【０００８】
好ましくは、固定装置はクランプバーの長さを変更する装置を有している。クランプバーを部分整経ビームに固定するにあたっては、クランプバーが２つの側面フランジ間に引掛る（ｊａｍ）までクランプバーを伸ばすだけでよい。
好ましくは、固定装置は、クランプバーと２つの側面フランジとの間のクランプ力を生成するクランプ力生成装置として構成される。従って、クランプバーは、クランプ力を用いて、すなわち摩擦により２つの側面フランジの間に保持される。このように、取り扱いが簡単となるような設計となっている。
【０００９】
好ましくは、ここではクランプ力生成装置はスプリング組立体を有する。スプリング組立体は、例えばクランプバーの長手方向、すなわち部分整経ビームのかせ糸の幅方向に付勢されるようになっていてもよい。クランプバーを部分整経ビームに固定する際は、クランプバーの長手方向に沿ってクランプバーに幾分圧縮力を加え、クランプバーを２つの側面フランジの間に配置した後で圧縮力を取り除く。このようにして、クランプバーが部分整経ビームに十分にしっかりと固定される。
【００１０】
好ましくは、クランプバーには、その両端に夫々１つのゴム弾性材製の末端部材が設けられる。このタイプの末端部材を用いることにより、比較的大変な努力を必要とすることなくクランプバーと２つの側面フランジとの間の摩擦を増大させることが可能となる。
また本発明の目的は、少なくとも１つのクランプバー容器を有する輸送デバイスが少なくとも１つの整経ビーム用取付具とクリール出口との間に配置される、冒頭に記載のタイプのクリールにより達成される。
【００１１】
従って、部分整経ビームから組立デバイスの入口までかせ糸の先端を運ぶことは、輸送デバイスによりスムーズかつ効果的に行えるようになる。この目的を達成するためには、クランプバーを輸送デバイスのクランプバー容器に挿入または配置して輸送デバイスを作動させるだけで、かせ糸が固定されたクランプバーを輸送デバイスが部分整経ビームから組立デバイスの入口まで運ぶ。
【００１２】
ここでは、クランプバー容器が互いに開口を向けた２つの相互に対向するポケット要素を有していることが好ましい。そのため、クランプバーが、その長手方向にある両端部で保持され、ひいてはその長手方向にあるかせ糸の２つの縁部に保持される。次いで、輸送デバイスがその牽引力をクランプバーに対して及ぼし、このクランプバーにより、かせ糸を所望の体勢（ａｌｉｇｎｍｅｎｔ）に保持することが可能となっている。好ましくは、この体勢とは、かせ糸の糸の側面（ｐｒｏｆｉｌｅ）に対して直角となる体勢のことである。このようにして、かせ糸の糸はすべて一様なストレスを受けるようになり、妨げになるような張力がかせ糸の糸に生じることはない。
【００１３】
好ましくは、ポケット要素は牽引部材、具体的にいえばチェーンに配置されており、各牽引部材は、少なくとも１つの整経ビーム用取付具からクリール出口へと向かう方向に移動可能な部分を有している。従って、牽引部材のこれらの部分は、ポケット要素を部分整経ビームからクリール出口、ひいては組立デバイスの入口まで運ぶようになっている。
【００１４】
ここでは、牽引部材は回転する牽引部材として構成されることが好ましい。従って、牽引部材にとって１つの方向に向けて作用するようになっている１つのドライブがあれば十分である。牽引部材としてチェーンが用いられる場合、当該チェーンは、共通の軸により相互に連結される２つのスプロケットによりガイドされるようになっていてもよい。軸はモータ、例えば電動機により駆動されるようになっていてもよい。
【００１５】
好ましくは、複数のポケット要素が少なくとも１つの整経ビーム用取付具とクリール出口との間の方向に連続して配置され、これら連続して配置される複数のポケット要素の間の牽引部材が横断方向のステイ部材により相互に連結されるようになっている。輸送デバイスが１つを超える数のクランプバーを同時に受け入れることができ、これら１つを超える数のクランプバーを整経ビーム用取付具からクリール出口へ引くことができるようにクリールが複数の整経ビーム用取付具を有している場合、複数のポケット要素があると非常に便利である。しかしながら、１つの整経ビーム用取付具しかない場合であっても複数のポケット要素があれば利点となる。というのは、ポケット要素が整経ビーム用取付具の近くにある可能性がより高くなるからである。横断方向のステイ部材により、クランプバーの両側に位置する輸送要素の側面方向の安定性が担保される。
【００１６】
好ましくは、輸送デバイスは整経ビーム用取付具の重力方向下方に配置される。このことは複数の利点を有している。１つの利点は、かせ糸が固定されているクランプバーをオペレータが輸送デバイスに配置する際、かせ糸が固定されているクランプバーを引き上げる必要がないことである。他の利点は、１つ以上のかせ糸を容易に観察することできる床の領域に１つ以上のかせ糸を輸送することによって、牽引プロセスやその後の巻かれているものを解くプロセスを容易に観察することが可能となることである。
【００１７】
好ましくは、クリール出口の領域に位置する輸送デバイスは鉛直方向に延びる部分を有している。クリール出口ではかせ糸のチェックがしばしば必要である。多くの場合、かせ糸の糸を処理することも望まれる。輸送デバイスが鉛直方向に延びている場合、かせ糸が固定されたクランプバーも鉛直方向に引かれ、輸送デバイスの鉛直方向に延びる部分にあるかせ糸の部分も鉛直方向に輸送される。
【図面の簡単な説明】
【００１８】
以下で、図面を参照しながら好ましい例示的な実施形態を用いて本発明を説明する。
【図１】部分整経ビームを示す図である。
【図２】クランプバーが固定されるかせ糸を示す図である。
【図３】クランプバーの端部を概略的に示す図である。
【図４】整経ビーム用取付具内の部分整経ビームを示す図である。
【図５】複数の部分整経ビームを有するクリールを概略的に示す図である。
【図６】輸送デバイスを部分的に示す図である。
【図７】クリール出口における複数のかせ糸を示す図である。
【発明を実施するための形態】
【００１９】
図１には、コア２と、コア２の両端にそれぞれ１つずつある２つの側面フランジ３、４とを備える部分整経ビーム１が示されている。コア２にはかせ糸５が巻きつけられている。かせ糸は、コア２の長手方向に沿って互いに隣り合って平行に配置される複数の糸から構成されている。
【００２０】
また、クランプバー６がコア２に対して平行に延びている。図２にさらに詳細に示されているクランプバー６は、一方の端部において、糸を部分整経ビーム１の幅方向に沿って互いに隣り合って堅固に保持し、全ての糸に対して同じように作用するようになっている。この目的のために、クランプバー６はクランプバー芯７とクランプ顎部８とを有している。かせ糸５の糸は、クランプバー芯７のまわりをＵ字状にガイドされて、クランプ顎部８を用いてクランプバー芯７に固定される。この固定は、かせ糸５の糸をクランプバー６に確実に堅固に保持するのに十分である。
【００２１】
図１から分かるように、クランプバー６は、部分整経ビームの側面フランジ３と側面フランジ４との間に固定される。この目的のために、図３にさらに詳細に示されている固定装置９が用いられている。固定装置９はクランプバー６を構成する部分、もっと詳細にいえばクランプバー芯７を構成する部分である。クランプバー６の長さ、少なくともクランプバー芯７の長さは、固定装置を用いて変更することができるようになっている。この目的のために、クランプバー芯はスプリング１０を有しており、スプリング１０はクランプバー芯７の中に変位可能に受容される摺動片１１をクランプバー６の長手方向に対して平行に外方に向けて付勢する。一方の端部において、摺動片１１はゴム弾性材製の末端部材１２を支えるようになっている。また、クランプバー６の他方の端部には同様のタイプの末端部材が設けられている。
【００２２】
図２に示されているように、いったんかせ糸５がクランプバー６に固定されると、次いで、スプリング１０の力に対抗して摺動片１１がクランプバー芯７の中へと押し込まれ、クランプバーが２つの側面フランジ３、４の間に配置され、次いで、摺動片１１がスプリング１０の力によりクランプバー芯７から外側に再び押され、クランプバー６が２つの側面フランジ３、４の間にしっかりと確実に保持されるようになっている。ゴム弾性材製の末端部材１２によりクランプバー６と２つの側面フランジ３、４との間には十分な摩擦が担保され、クランプバー６は部分整経ビーム１に確実に保持される。
【００２３】
クランプバー６は２つの側面フランジ３、４の外周よりも内側に配置されて、必要な場合に２つの側面のフランジ３、４上に沿って部分整経ビーム１が回転することができる。このようにすることにより、部分整経ビーム１のさらなる取り扱いの際にクランプバー６が邪魔になるようなことはない。
【００２４】
図４に示されているように、部分整経ビーム１を整経ビーム用取付具１３に配置すると、再び摺動片１１がスプリング１０の力に対抗してクランプバー芯７の中へと幾分押し込まれ、２つの側面フランジ３、４の間にてクランプバー６を解放することにより、かせ糸５がその全幅を維持したまま部分整経ビーム１から引き出することが可能となる。このようにして、かせ糸の側面ストレス、すなわち、かせ糸５の糸の長手方向に対して横断方向にかかる力が回避されることになる。次いで、オペレータは、かせ糸５をクランプバーの補助を用いて取り扱い、かせ糸５を輸送デバイスへと運ぶ。このことについては下記にさらに説明されている。
【００２５】
図５には、複数の部分整経ビームが配置されるクリール１４が概略的に示されている。このクリールは、その長手方向に対して横断方向に、すなわちかせ糸が引き出される方向に対して横断方向に２列の整経ビーム用取付具を有している。また、クリール１４は、一方の列の整経ビーム用取付具の位置に現在処理中の部分整経ビーム、すなわちかせ糸を引き出し中の部分整経ビームを配置し、他方の列で部分整経ビームの配置及び準備を行うことが可能となるようにクリール１４の長手方向に対して横断方向に置換可能となっている。
【００２６】
図５から分かるように、部分整経ビーム１から下向きにかせ糸５が引き出され、部分整経ビーム１の重力方向下方にクリール出口に向けて引かれるようになっている。上述のかせ糸５は、かせ糸５を覆う狭い通路１５の下に運ばれるようになっている。
図６を参照してさらに詳細に説明される輸送デバイス１６が整経ビーム用取付具１３の重力方向下方に、すなわち狭い通路１５の下に配置されている。
【００２７】
輸送デバイス１６は、その２つの長手方向に延びる縁部にそれぞれ１つずつ回転するように構成されうるチェーン１７を有している。各チェーン１７は駆動されうるスプロケット１８によりガイドされるようになっている。２つのチェーン１７は横断方向ステイ部材１９により相互に連結されている。
隣接する２つの横断方向ステイ部材の間ごとに、本明細書ではポケット要素２０として構成されるクランプバーを受けるための１つの容器が配置されている。各ポケット要素は容器開口部２１を有している。対向するポケット要素の容器開口部２１は互いに向かい合っている。従って、これらのポケット要素は互いに向かい合うように開口している。
【００２８】
一対のポケット要素２０ごとに１つのクランプバー６が配置されるようになっていてもよい。この目的のために、再びクランプバー芯７の中に摺動片１１を押し込み、１対のポケット要素のポケット要素２０とポケット要素２０との間の間隔よりもクランプバーまたはある場合はクランプバー芯の長さを短くする。次いで、再びスプリングを緩ませ（伸ばし）てクランプバー芯７を伸ばすことにより、クランプバー６が輸送デバイス１６にしっかりと受容されるようにする。スプロケット１８が駆動されると、かせ糸５が固定されているクランプバー６及び各部分整経ビーム１をクリール出口２２へと引くことが可能となる。この場合の牽引力はスプロケット１８に接続されるドライブ（図示せず）によって加えられるようになっている。人による牽引力は不要である。かせ糸５を状況に合わせてそらしたりすることができるように、狭い通路１５の下に偏向部材が配置されるようになっていてもよい。    
もちろん図示されているチェーン１７に代えて、他の牽引部材、例えばベルト、テープなどが用いられてもよい。
【００２９】
図７にて、ここではスタンドによって概略的にのみ示されるクリール出口２２における輸送デバイス１６は、鉛直方向に延在する部分、すなわち重力方向に沿って延在する部分を有する。本明細書では、用語「鉛直」が厳密に数学的な意味で理解されるべきではない。しかしながら、本明細書に記載のかせ糸５は、オペレータがかせ糸５をすぐに観察できるように、そして必要ならばすぐに処理及び対処できるように、クランプバー６により下から上に向けて移動されるようになっている。
【００３０】
クリール出口２２の下流側には、全ての部分整経ビーム１からのかせ糸５が１つにまとめられる組立デバイスが配置されている。この組立デバイスにより例えばサイジングのようなさらなる処理が行われるようになっていてもよい。
【００３１】
図示されているクリールを用いることにより、バッチの変更が比較的大変な肉体的努力を強いられることなく比較的短時間で行うことが可能となる。クランプバー６をとともに準備される部分整経ビーム１を整経ビーム用取付具１３に配置する必要がある。かせ糸５が固定されているクランプバーはクランプバーが輸送デバイス１６に到達するまで下方に向けて引き下げればよい。これらのクランプバーは、輸送デバイス１６に設けられているポケット要素２０に取り付けられる。クランプバーがすべてそれぞれのポケット要素２０に配置されるとすぐ、輸送デバイス１６が作動され、人の力を必要とすることなく輸送デバイス１６が、全てのかせ糸５をクリール出口２２へ、次いで、そこから上方に向けて輸送し、そこでかせ糸５が取り扱い可能となる。
【００３２】
本明細書に記載の部分整経ビームは、現時点においてかせ糸が引き出されていない一列の整経ビーム用取付具１３にすでに配置された状態になっていてもよい。そこで、これらの部分整経ビームが準備、例えばクランプバー６を輸送デバイス１６に取り付けることがなされるようになっていてもよい。バッチの変更が必要な場合には、クリール全体が側面方向にずらされるだけである。
【図１】
0006360571.tif 000002
【図２】
0006360571.tif 000003
【図３】
0006360571.tif 000004
【図４】
0006360571.tif 000005
【図５】
0006360571.tif 000006
【図６】
0006360571.tif 000007
【図７】
0006360571.tif 000008